(57)【要約】【課題】企業の購買担当者などがセット品に含まれる商品を、セットまたはバラにより購入する際に、その商品の調達先業者の選定を労力をかけずに容易に行うことができ、またコスト面でより有利な購入先を選定することができる、購買装置を提供する。【解決手段】購買装置１が、一括購入またはバラ購入または一括・バラ購入の選択と、調達先の選択を受付けて、各調達先へ、見積要求を送信する。そして、見積回答に基づいて、購買担当者の利用する社内端末２へ、一括購入またはバラ購入それぞれの調達方法ごとに、見積金額の低い順に調達先を表示し、発注の指示を受付ける。【選択図】図１
2006331409.tif 000002
【特許請求の範囲】
【請求項１】
購買装置と調達先端末と購買用端末とを備えた購買システムであって、
購買装置が、
前記セット購入品に含まれる各購入物の一括購入またはバラ購入または一括・バラ購入のいずれかを示す調達方法の選択を購買用端末を利用するユーザに促す手段と、
前記セット購入品における一括購入またはバラ購入または一括・バラ購入のうちのいずれかの調達方法の登録を購買用端末より受け付ける手段と、
前記セット購入品の調達方法選択が、一括購入または一括・バラ購入を示す場合には、当該セット購入品に含まれる購入物の購入できる調達先のそれぞれについて、前記セット購入品に含まれる購入物の一括購入見積り要求に必要なデータとなる、前記セット購入品に含まれる購入物それぞれの識別情報と購入数量と調達先の識別情報とを少なくとも記憶部に対応付けて格納する手段と、
前記セット購入品の調達方法選択が、バラ購入または一括・バラ購入を示す場合には、当該セット購入品に含まれる購入物の種類ごとに、当該購入物の購入できる調達先のそれぞれについて、前記セット購入品に含まれる購入物の種類ごとのバラ購入見積り要求に必要なデータとなる、購入物それぞれの識別情報と購入数量と調達先の識別情報とを少なくとも記憶部に対応付けて格納する手段と、
前記セット購入品の調達方法選択が、一括購入または一括・バラ購入を示す場合には、前記一括購入見積り要求のデータに基づいて前記調達先に一括購入見積り要求を前記調達先端末へ送信する手段と、
前記セット購入品の調達方法選択が、バラ購入または一括・バラ購入を示す場合には、バラ購入見積り要求のデータに基づいて前記調達先にバラ購入見積り要求を前記調達先端末へ送信する手段と、
前記一括購入見積り要求または前記バラ購入見積り要求に対し前記調達先の前記調達先端末から回答された受注可否と、見積り金額と、を少なくとも受け付ける手段と、
当該受け付けた情報を、その応答を促した見積りである前記一括購入見積り要求またはバラ購入見積り要求のデータに対応付けて記録する手段と、
を備えることを特徴とする購買システム。
【請求項２】
セット購入品に含まれる各購入物の一括購入またはバラ購入または一括・バラ購入のいずれかを示す調達方法の選択を促す画面を出力する手段と、
前記調達方法の選択を促す画面の出力に基づいて、セット購入品に含まれる各購入物の一括購入またはバラ購入または一括・バラ購入のいずれかの入力を受け付ける手段と、
前記セット購入品の調達方法選択が、一括購入または一括・バラ購入を示す場合には、当該セット購入品に含まれる購入物の購入できる調達先の選択を促す画面を出力し、前記セット購入品の調達方法選択が、バラ購入または一括・バラ購入を示す場合には、当該セット購入品に含まれる購入物の種類ごとに、当該購入物の購入できる調達先の選択を促す画面を出力する手段と、
前記調達先の選択を促す画面の出力に基づいて、調達先の入力を受け付ける手段と、
を備えることを特徴とする購買装置。
【請求項３】
前記セット購入品の調達方法が一括購入または一括・バラ購入を示す場合に前記調達先へ送信した一括購入見積り要求、または前記セット購入品の調達方法がバラ購入または一括・バラ購入を示す場合に前記調達先へ送信したバラ購入見積り要求の何れかに対して、前記調達先から回答された受注可否と、見積り金額と、を少なくとも出力する手段と、
を備えることを特徴とする請求項２に記載の購買装置。
【請求項４】
前記見積り金額に基づいて、前記一括購入の調達先または前記バラ購入の調達先のいずれかまたは両方を比較可能に表示する手段と、
を備えることを特徴とする請求項３に記載の購買装置。
【請求項５】
前記比較可能な画面において、調達先の決定と発注の指示を受け付ける手段と、
を備えることを特徴とする請求項４に記載の購買装置。
【請求項６】
セット購入品に含まれる購入物それぞれの識別情報と購入数量とを少なくとも記憶する手段と、
当該セット購入品に含まれる購入物の種類ごとに、当該購入物の購入できる調達先のそれぞれについて、前記セット購入品に含まれる購入物の種類ごとの購入見積り要求に必要なデータとなる、購入物それぞれの識別情報と購入数量と調達先の識別情報とを少なくとも記憶部に対応付けて格納する手段と、
を備えることを特徴とする購買装置。
【請求項７】
前記セット購入品に含まれる各購入物の一括購入またはバラ購入または一括・バラ購入のいずれかを示す調達方法の選択を促す手段と、
前記セット購入品の調達方法選択が、一括購入または一括・バラ購入を示す場合には、当該セット購入品に含まれる購入物の購入できる調達先のそれぞれについて、前記セット購入品に含まれる購入物の一括購入見積り要求に必要なデータとなる、前記セット購入品に含まれる購入物それぞれの識別情報と購入数量と調達先の識別情報とを少なくとも記憶部に対応付けて格納する手段と、
前記セット購入品の調達方法選択が、バラ購入または一括・バラ購入を示す場合には、当該セット購入品に含まれる購入物の種類ごとに、当該購入物の購入できる調達先のそれぞれについて、前記セット購入品に含まれる購入物の種類ごとのバラ購入見積り要求に必要なデータとなる、購入物それぞれの識別情報と購入数量と調達先の識別情報とを少なくとも記憶部に対応付けて格納する手段と、
を備えることを特徴とする請求項６に記載の購買装置。
【請求項８】
前記セット購入品の調達登録を受け付ける手段と、
前記セット購入品の調達方法選択が、一括購入または一括・バラ購入を示す場合には、前記一括購入見積り要求のデータに基づいて前記調達先に一括購入見積り要求を送信する手段と、
前記セット購入品の調達方法選択が、バラ購入または一括・バラ購入を示す場合には、バラ購入見積り要求のデータに基づいて前記調達先にバラ購入見積り要求を送信する手段と、
を備えることを特徴とする請求項７に記載の購買装置。
【請求項９】
前記一括購入見積り要求または前記バラ購入見積り要求は、
前記調達先のそれぞれに特定の送信手段が選択されることにより当該送信手段によって送信される
ことを特徴とする請求項７または請求項８に記載の購買装置。
【請求項１０】
前記送信手段は、ネットワークを通じてのオンライン送信、ＦＡＸ送信、または電子メールのいずれかである
ことを特徴とする請求項９に記載の購買装置。
【請求項１１】
前記一括購入見積り要求または前記バラ購入見積り要求に対し前記調達先から回答された受注可否と、見積り金額と、を少なくとも受け付ける手段と、
当該受け付けた情報を、その応答を促した見積りである前記一括購入見積り要求またはバラ購入見積り要求のデータに対応付けて記録する手段と、
を備えることを特徴とする請求項７から請求項１０に記載の購買装置。
【請求項１２】
前記各見積り要求に対する回答画面の出力指示を受け付けることにより、前記見積り金額に基づいて、前記一括購入の調達先または前記バラ購入の調達先のいずれかまたは両方を比較可能に表示する手段と、
を備えることを特徴とする請求項７から請求項１１に記載の購買装置。
【請求項１３】
前記比較可能な表示画面において、調達先の決定と発注の指示を受け付ける手段と、
を備えることを特徴とする請求項１２に記載の購買装置。
【請求項１４】
前記決定された調達先に対し注文情報の送信を行なう手段と、
を備えることを特徴とする請求項１３に記載の購買装置。
【請求項１５】
前記注文情報は、
前記調達先のそれぞれに特定の送信手段が選択されることにより当該送信手段によって送信される
ことを特徴とする請求項１４に記載の購買装置。
【請求項１６】
前記送信手段は、ネットワークを通じてのオンライン送信、ＦＡＸ送信、または電子メールのいずれかである
ことを特徴とする請求項９から請求項１５に記載の購買装置。
【請求項１７】
前記調達先の何れかについての再見積りの指示を受け付ける手段と、
前記再見積りの指示を受け付けた調達先へ所定の操作に基づいて、再度、前記一括購入見積り要求と前記バラ購入見積り要求のいずれかまたは両方を送信する手段と、
を備えることを特徴とする請求項８から請求項１６に記載の購買装置。
【請求項１８】
購買装置のコンピュータに実行させるプログラムであって、
前記セット購入品に含まれる各購入物の一括購入またはバラ購入または一括・バラ購入のいずれかを示す調達方法の選択を促す処理と、
前記セット購入品における一括購入またはバラ購入または一括・バラ購入のうちのいずれかの調達方法の登録を受け付ける処理と、
前記セット購入品の調達方法選択が、一括購入または一括・バラ購入を示す場合には、当該セット購入品に含まれる購入物の購入できる調達先のそれぞれについて、前記セット購入品に含まれる購入物の一括購入見積り要求に必要なデータとなる、前記セット購入品に含まれる購入物それぞれの識別情報と購入数量と調達先の識別情報とを少なくとも記憶部に対応付けて格納する処理と、
前記セット購入品の調達方法選択が、バラ購入または一括・バラ購入を示す場合には、当該セット購入品に含まれる購入物の種類ごとに、当該購入物の購入できる調達先のそれぞれについて、前記セット購入品に含まれる購入物の種類ごとのバラ購入見積り要求に必要なデータとなる、購入物それぞれの識別情報と購入数量と調達先の識別情報とを少なくとも記憶部に対応付けて格納する処理と、
前記セット購入品の調達方法選択が、一括購入または一括・バラ購入を示す場合には、前記一括購入見積り要求のデータに基づいて前記調達先に一括購入見積り要求を送信する処理と、
前記セット購入品の調達方法選択が、バラ購入または一括・バラ購入を示す場合には、バラ購入見積り要求のデータに基づいて前記調達先にバラ購入見積り要求を送信する処理と、
前記一括購入見積り要求または前記バラ購入見積り要求に対し前記調達先から回答された受注可否と、見積り金額と、を少なくとも受け付ける処理と、
当該受け付けた情報を、その応答を促した見積りである前記一括購入見積り要求またはバラ購入見積り要求のデータに対応付けて記録する処理と
をコンピュータに実行させるプログラム。
【請求項１９】
購買装置のコンピュータに実行させるプログラムを記憶する記録媒体であって、
前記セット購入品に含まれる各購入物の一括購入またはバラ購入または一括・バラ購入のいずれかを示す調達方法の選択を促す処理と、
前記セット購入品における一括購入またはバラ購入または一括・バラ購入のうちのいずれかの調達方法の登録を受け付ける処理と、
前記セット購入品の調達方法選択が、一括購入または一括・バラ購入を示す場合には、当該セット購入品に含まれる購入物の購入できる調達先のそれぞれについて、前記セット購入品に含まれる購入物の一括購入見積り要求に必要なデータとなる、前記セット購入品に含まれる購入物それぞれの識別情報と購入数量と調達先の識別情報とを少なくとも記憶部に対応付けて格納する処理と、
前記セット購入品の調達方法選択が、バラ購入または一括・バラ購入を示す場合には、当該セット購入品に含まれる購入物の種類ごとに、当該購入物の購入できる調達先のそれぞれについて、前記セット購入品に含まれる購入物の種類ごとのバラ購入見積り要求に必要なデータとなる、購入物それぞれの識別情報と購入数量と調達先の識別情報とを少なくとも記憶部に対応付けて格納する処理と、
前記セット購入品の調達方法選択が、一括購入または一括・バラ購入を示す場合には、前記一括購入見積り要求のデータに基づいて前記調達先に一括購入見積り要求を送信する処理と、
前記セット購入品の調達方法選択が、バラ購入または一括・バラ購入を示す場合には、バラ購入見積り要求のデータに基づいて前記調達先にバラ購入見積り要求を送信する処理と、
前記一括購入見積り要求または前記バラ購入見積り要求に対し前記調達先から回答された受注可否と、見積り金額と、を少なくとも受け付ける処理と、
当該受け付けた情報を、その応答を促した見積りである前記一括購入見積り要求またはバラ購入見積り要求のデータに対応付けて記録する処理と
をコンピュータに実行させるプログラムを記憶する記録媒体。
【請求項２０】
購買装置における購買方法であって、
前記セット購入品に含まれる各購入物の一括購入またはバラ購入または一括・バラ購入のいずれかを示す調達方法の選択を促し、
前記セット購入品における一括購入またはバラ購入または一括・バラ購入のうちのいずれかの調達方法の登録を受け付け、
前記セット購入品の調達方法選択が、一括購入または一括・バラ購入を示す場合には、当該セット購入品に含まれる購入物の購入できる調達先のそれぞれについて、前記セット購入品に含まれる購入物の一括購入見積り要求に必要なデータとなる、前記セット購入品に含まれる購入物それぞれの識別情報と購入数量と調達先の識別情報とを少なくとも記憶部に対応付けて格納し、
前記セット購入品の調達方法選択が、バラ購入または一括・バラ購入を示す場合には、当該セット購入品に含まれる購入物の種類ごとに、当該購入物の購入できる調達先のそれぞれについて、前記セット購入品に含まれる購入物の種類ごとのバラ購入見積り要求に必要なデータとなる、購入物それぞれの識別情報と購入数量と調達先の識別情報とを少なくとも記憶部に対応付けて格納し、
前記セット購入品の調達方法選択が、一括購入または一括・バラ購入を示す場合には、前記一括購入見積り要求のデータに基づいて前記調達先に一括購入見積り要求を送信し、
前記セット購入品の調達方法選択が、バラ購入または一括・バラ購入を示す場合には、バラ購入見積り要求のデータに基づいて前記調達先にバラ購入見積り要求を送信し、
前記一括購入見積り要求または前記バラ購入見積り要求に対し前記調達先から回答された受注可否と、見積り金額と、を少なくとも受け付け、
当該受け付けた情報を、その応答を促した見積りである前記一括購入見積り要求またはバラ購入見積り要求のデータに対応付けて記録する
ことを特徴とする購買方法。
【発明の詳細な説明】
【技術分野】
【０００１】
本発明は、購入申請のあった購買物が複数の商品により構成されるセット商品である場合において、そのセット商品を購入する調達先の選定を行う購買装置および購買方法ならびにそのプログラムと記録媒体、購買システムに関する。
【背景技術】
【０００２】
従来より企業の購買部などにおいては、コンピュータなど購入物を購入する際に、例えばコンピュータであれば、そのコンピュータ本体とモニタのセット品を一括して購入する発注を調達先業者に行うこともあれば、モニタまたはコンピュータ本体それぞれをバラで購入する発注を別々の調達先業者に行うこともある。しかしながら、例えば調達先業者が複数存在し、その中から最も見積金額が低い業者を選定しようとすると、セット品の一括購入による見積金額の調達先業者ごとの比較だけでなく、セット品に含まれる複数の購入物をバラで別々の調達先業者より購入した際の見積金額と、前記セット品による見積金額の比較を行うことで、より見積金額の低い購買の処理を行うことが可能となる。なお、関連技術として、商品の調達先の見積りの入力を促し、その見積りに基づいて商品の供給者の選択及び決定を行う技術が特許文献１に公開されている。
【特許文献１】特開２００１−３３１６９２号公報
【発明の開示】
【発明が解決しようとする課題】
【０００３】
しかしながら、セット品に含まれる複数の購入物をバラで別々の調達先業者より購入しようとする場合、調達先業者が多数に渡ると、セット品に含まれる購入物のそれぞれをどの調達先業者に発注するかの選定方法が多様となるので、購買部の担当者にとってはセット品に含まれる購入物のそれぞれの購入先を決定することは難しい。また通常、購買部の担当者は、購入総額からコストのかからない調達先を選定することを行うが、セット品による１つの調達先業者からの見積金額や、バラによる複数の調達先業者からの見積金額を容易に判定できる仕組みが必要となる。
【０００４】
そこでこの発明は、企業の購買担当者などがセット品に含まれる商品を、セットまたはバラにより購入する際に、その商品の調達先業者の選定を労力をかけずに容易に行うことができ、またコスト面でより有利な購入先を選定することができる、購買装置および購買方法ならびにそのプログラムと記録媒体、購買システムを提供することを目的としている。
【課題を解決するための手段】
【０００５】
本発明は、上述の課題を解決すべくなされたもので、購買装置と調達先端末と購買用端末とを備えた購買システムであって、購買装置が、前記セット購入品に含まれる各購入物の一括購入またはバラ購入または一括・バラ購入のいずれかを示す調達方法の選択を購買用端末を利用するユーザに促す手段と、前記セット購入品における一括購入またはバラ購入または一括・バラ購入のうちのいずれかの調達方法の登録を購買用端末より受け付ける手段と、前記セット購入品の調達方法選択が、一括購入または一括・バラ購入を示す場合には、当該セット購入品に含まれる購入物の購入できる調達先のそれぞれについて、前記セット購入品に含まれる購入物の一括購入見積り要求に必要なデータとなる、前記セット購入品に含まれる購入物それぞれの識別情報と購入数量と調達先の識別情報とを少なくとも記憶部に対応付けて格納する手段と、前記セット購入品の調達方法選択が、バラ購入または一括・バラ購入を示す場合には、当該セット購入品に含まれる購入物の種類ごとに、当該購入物の購入できる調達先のそれぞれについて、前記セット購入品に含まれる購入物の種類ごとのバラ購入見積り要求に必要なデータとなる、購入物それぞれの識別情報と購入数量と調達先の識別情報とを少なくとも記憶部に対応付けて格納する手段と、前記セット購入品の調達方法選択が、一括購入または一括・バラ購入を示す場合には、前記一括購入見積り要求のデータに基づいて前記調達先に一括購入見積り要求を前記調達先端末へ送信する手段と、前記セット購入品の調達方法選択が、バラ購入または一括・バラ購入を示す場合には、バラ購入見積り要求のデータに基づいて前記調達先にバラ購入見積り要求を前記調達先端末へ送信する手段と、前記一括購入見積り要求または前記バラ購入見積り要求に対し前記調達先の前記調達先端末から回答された受注可否と、見積り金額と、を少なくとも受け付ける手段と、当該受け付けた情報を、その応答を促した見積りである前記一括購入見積り要求またはバラ購入見積り要求のデータに対応付けて記録する手段と、を備えることを特徴とする購買システムである。
【０００６】
また本発明は、セット購入品に含まれる各購入物の一括購入またはバラ購入または一括・バラ購入のいずれかを示す調達方法の選択を促す画面を出力する手段と、前記調達方法の選択を促す画面の出力に基づいて、セット購入品に含まれる各購入物の一括購入またはバラ購入または一括・バラ購入のいずれかの入力を受け付ける手段と、前記セット購入品の調達方法選択が、一括購入または一括・バラ購入を示す場合には、当該セット購入品に含まれる購入物の購入できる調達先の選択を促す画面を出力し、前記セット購入品の調達方法選択が、バラ購入または一括・バラ購入を示す場合には、当該セット購入品に含まれる購入物の種類ごとに、当該購入物の購入できる調達先の選択を促す画面を出力する手段と、前記調達先の選択を促す画面の出力に基づいて、調達先の入力を受け付ける手段と、を備えることを特徴とする購買装置である。
【０００７】
また本発明は、上述の購買装置が、前記セット購入品の調達方法が一括購入または一括・バラ購入を示す場合に前記調達先へ送信した一括購入見積り要求、または前記セット購入品の調達方法がバラ購入または一括・バラ購入を示す場合に前記調達先へ送信したバラ購入見積り要求の何れかに対して、前記調達先から回答された受注可否と、見積り金額と、を少なくとも出力する手段と、を備えることを特徴とする。
【０００８】
また本発明は、上述の購買装置が、前記見積り金額に基づいて、前記一括購入の調達先または前記バラ購入の調達先のいずれかまたは両方を比較可能に表示する手段と、を備えることを特徴とする。
【０００９】
また本発明は、上述の購買装置が、前記比較可能な画面において、調達先の決定と発注の指示を受け付ける手段と、を備えることを特徴とする。
【００１０】
また本発明は、セット購入品に含まれる購入物それぞれの識別情報と購入数量とを少なくとも記憶する手段と、当該セット購入品に含まれる購入物の種類ごとに、当該購入物の購入できる調達先のそれぞれについて、前記セット購入品に含まれる購入物の種類ごとの購入見積り要求に必要なデータとなる、購入物それぞれの識別情報と購入数量と調達先の識別情報とを少なくとも記憶部に対応付けて格納する手段と、を備えることを特徴とする購買装置である。
【００１１】
また本発明は、上述の購買装置が、前記セット購入品に含まれる各購入物の一括購入またはバラ購入または一括・バラ購入のいずれかを示す調達方法の選択を促す手段と、前記セット購入品の調達方法選択が、一括購入または一括・バラ購入を示す場合には、当該セット購入品に含まれる購入物の購入できる調達先のそれぞれについて、前記セット購入品に含まれる購入物の一括購入見積り要求に必要なデータとなる、前記セット購入品に含まれる購入物それぞれの識別情報と購入数量と調達先の識別情報とを少なくとも記憶部に対応付けて格納する手段と、前記セット購入品の調達方法選択が、バラ購入または一括・バラ購入を示す場合には、当該セット購入品に含まれる購入物の種類ごとに、当該購入物の購入できる調達先のそれぞれについて、前記セット購入品に含まれる購入物の種類ごとのバラ購入見積り要求に必要なデータとなる、購入物それぞれの識別情報と購入数量と調達先の識別情報とを少なくとも記憶部に対応付けて格納する手段と、を備えることを特徴とする。
【００１２】
本発明によれば、一括購入またはバラ購入または一括・バラ購入のいずれかを示す調達方法の選択に対応した見積要求を送信するためのデータを記憶部に格納することができる。
【００１３】
また本発明は、上述の購買装置が、前記セット購入品の調達登録を受け付ける手段と、前記セット購入品の調達方法選択が、一括購入または一括・バラ購入を示す場合には、前記一括購入見積り要求のデータに基づいて前記調達先に一括購入見積り要求を送信する手段と、前記セット購入品の調達方法選択が、バラ購入または一括・バラ購入を示す場合には、バラ購入見積り要求のデータに基づいて前記調達先にバラ購入見積り要求を送信する手段と、を備えることを特徴とする。これにより、一括購入またはバラ購入または一括・バラ購入のいずれかを示す調達方法に応じた調達先へ、一度に一括購入またはバラ購入の見積要求を送信することができる。
【００１４】
また本発明は、上述の購買装置において、前記一括購入見積り要求または前記バラ購入見積り要求は、前記調達先のそれぞれに特定の送信手段が選択されることにより当該送信手段によって送信されることを特徴とする。
【００１５】
また本発明は、上述の購買装置において、前記送信手段は、ネットワークを通じてのオンライン送信、ＦＡＸ送信、または電子メールのいずれかであることを特徴とする。
【００１６】
また本発明は、上述の購買装置が、前記一括購入見積り要求または前記バラ購入見積り要求に対し前記調達先から回答された受注可否と、見積り金額と、を少なくとも受け付ける手段と、当該受け付けた情報を、その応答を促した見積りである前記一括購入見積り要求またはバラ購入見積り要求のデータに対応付けて記録する手段と、を備えることを特徴とする。これにより、調達先からの見積要求に対応する見積回答の情報を自動により記憶部に格納することができる。
【００１７】
また本発明は、上述の購買装置が、前記各見積り要求に対する回答画面の出力指示を受け付けることにより、前記見積り金額に基づいて、前記一括購入の調達先または前記バラ購入の調達先のいずれかまたは両方を比較可能に表示する手段と、を備えることを特徴とする。これにより、購買担当者は、一括購入またはバラ購入の場合のそれぞれの調達先による見積金額の比較が容易となる。
【００１８】
また本発明は、上述の購買装置が、前記比較可能な表示画面において、調達先の決定と発注の指示を受け付ける手段と、を備えることを特徴とする。
【００１９】
また本発明は、上述の購買装置が、前記決定された調達先に対し注文情報の送信を行なう手段と、を備えることを特徴とする。
【００２０】
また本発明は、上述の購買装置において、前記注文情報は、前記調達先のそれぞれに特定の送信手段が選択されることにより当該送信手段によって送信されることを特徴とする。
【００２１】
また本発明は、上述の購買装置において、前記送信手段は、ネットワークを通じてのオンライン送信、ＦＡＸ送信、または電子メールのいずれかであることを特徴とする。
【００２２】
また本発明は、上述の購買装置が、前記調達先の何れかについての再見積りの指示を受け付ける手段と、前記再見積りの指示を受け付けた調達先へ所定の操作に基づいて、再度、前記一括購入見積り要求と前記バラ購入見積り要求のいずれかまたは両方を送信する手段と、を備えることを特徴とする。これにより、購買担当者は再見積の要求を容易に行うことができる。
【００２３】
また本発明は、購買装置のコンピュータに実行させるプログラムであって、前記セット購入品に含まれる各購入物の一括購入またはバラ購入または一括・バラ購入のいずれかを示す調達方法の選択を促す処理と、前記セット購入品における一括購入またはバラ購入または一括・バラ購入のうちのいずれかの調達方法の登録を受け付ける処理と、前記セット購入品の調達方法選択が、一括購入または一括・バラ購入を示す場合には、当該セット購入品に含まれる購入物の購入できる調達先のそれぞれについて、前記セット購入品に含まれる購入物の一括購入見積り要求に必要なデータとなる、前記セット購入品に含まれる購入物それぞれの識別情報と購入数量と調達先の識別情報とを少なくとも記憶部に対応付けて格納する処理と、前記セット購入品の調達方法選択が、バラ購入または一括・バラ購入を示す場合には、当該セット購入品に含まれる購入物の種類ごとに、当該購入物の購入できる調達先のそれぞれについて、前記セット購入品に含まれる購入物の種類ごとのバラ購入見積り要求に必要なデータとなる、購入物それぞれの識別情報と購入数量と調達先の識別情報とを少なくとも記憶部に対応付けて格納する処理と、前記セット購入品の調達方法選択が、一括購入または一括・バラ購入を示す場合には、前記一括購入見積り要求のデータに基づいて前記調達先に一括購入見積り要求を送信する処理と、前記セット購入品の調達方法選択が、バラ購入または一括・バラ購入を示す場合には、バラ購入見積り要求のデータに基づいて前記調達先にバラ購入見積り要求を送信する処理と、前記一括購入見積り要求または前記バラ購入見積り要求に対し前記調達先から回答された受注可否と、見積り金額と、を少なくとも受け付ける処理と、当該受け付けた情報を、その応答を促した見積りである前記一括購入見積り要求またはバラ購入見積り要求のデータに対応付けて記録する処理とをコンピュータに実行させるプログラムである。
【００２４】
また本発明は、購買装置のコンピュータに実行させるプログラムを記憶する記録媒体であって、前記セット購入品に含まれる各購入物の一括購入またはバラ購入または一括・バラ購入のいずれかを示す調達方法の選択を促す処理と、前記セット購入品における一括購入またはバラ購入または一括・バラ購入のうちのいずれかの調達方法の登録を受け付ける処理と、前記セット購入品の調達方法選択が、一括購入または一括・バラ購入を示す場合には、当該セット購入品に含まれる購入物の購入できる調達先のそれぞれについて、前記セット購入品に含まれる購入物の一括購入見積り要求に必要なデータとなる、前記セット購入品に含まれる購入物それぞれの識別情報と購入数量と調達先の識別情報とを少なくとも記憶部に対応付けて格納する処理と、前記セット購入品の調達方法選択が、バラ購入または一括・バラ購入を示す場合には、当該セット購入品に含まれる購入物の種類ごとに、当該購入物の購入できる調達先のそれぞれについて、前記セット購入品に含まれる購入物の種類ごとのバラ購入見積り要求に必要なデータとなる、購入物それぞれの識別情報と購入数量と調達先の識別情報とを少なくとも記憶部に対応付けて格納する処理と、前記セット購入品の調達方法選択が、一括購入または一括・バラ購入を示す場合には、前記一括購入見積り要求のデータに基づいて前記調達先に一括購入見積り要求を送信する処理と、前記セット購入品の調達方法選択が、バラ購入または一括・バラ購入を示す場合には、バラ購入見積り要求のデータに基づいて前記調達先にバラ購入見積り要求を送信する処理と、前記一括購入見積り要求または前記バラ購入見積り要求に対し前記調達先から回答された受注可否と、見積り金額と、を少なくとも受け付ける処理と、当該受け付けた情報を、その応答を促した見積りである前記一括購入見積り要求またはバラ購入見積り要求のデータに対応付けて記録する処理とをコンピュータに実行させるプログラムを記憶する記録媒体である。
【００２５】
また本発明は、購買装置における購買方法であって、前記セット購入品に含まれる各購入物の一括購入またはバラ購入または一括・バラ購入のいずれかを示す調達方法の選択を促し、前記セット購入品における一括購入またはバラ購入または一括・バラ購入のうちのいずれかの調達方法の登録を受け付け、前記セット購入品の調達方法選択が、一括購入または一括・バラ購入を示す場合には、当該セット購入品に含まれる購入物の購入できる調達先のそれぞれについて、前記セット購入品に含まれる購入物の一括購入見積り要求に必要なデータとなる、前記セット購入品に含まれる購入物それぞれの識別情報と購入数量と調達先の識別情報とを少なくとも記憶部に対応付けて格納し、前記セット購入品の調達方法選択が、バラ購入または一括・バラ購入を示す場合には、当該セット購入品に含まれる購入物の種類ごとに、当該購入物の購入できる調達先のそれぞれについて、前記セット購入品に含まれる購入物の種類ごとのバラ購入見積り要求に必要なデータとなる、購入物それぞれの識別情報と購入数量と調達先の識別情報とを少なくとも記憶部に対応付けて格納し、前記セット購入品の調達方法選択が、一括購入または一括・バラ購入を示す場合には、前記一括購入見積り要求のデータに基づいて前記調達先に一括購入見積り要求を送信し、前記セット購入品の調達方法選択が、バラ購入または一括・バラ購入を示す場合には、バラ購入見積り要求のデータに基づいて前記調達先にバラ購入見積り要求を送信し、前記一括購入見積り要求または前記バラ購入見積り要求に対し前記調達先から回答された受注可否と、見積り金額と、を少なくとも受け付け、当該受け付けた情報を、その応答を促した見積りである前記一括購入見積り要求またはバラ購入見積り要求のデータに対応付けて記録することを特徴とする購買方法である。
【発明を実施するための最良の形態】
【００２６】
以下、本発明の一実施形態による購買システムを図面を参照して説明する。図１は同実施形態による購買システムの構成を示すブロック図である。この図において、符号１は調達先の端末に対する見積要求の情報の送信や、社内端末からの購入申請の情報や調達先を指定する情報などを受付ける処理を行う購買装置である。また２は社内端末である。なお社内端末２は例えば購入申請を行う社員や、購買処理を行う企業内の購買部などの担当者それぞれが保持しているため、企業内の通信ネットワークには複数の社内端末が接続されているものとする。また購買装置１や社内端末２は、企業内に敷設されたＬＡＮを介して相互接続されている。また３は購買物の調達先に設置された調達先端末であり、インターネットなどの通信ネットワークを介して、購買装置１や社内端末２が接続されている企業内のＬＡＮに接続されている。
【００２７】
図２は購買装置の機能ブロックを示す図である。
この図において、符号１０１は通信ネットワークを介して他の装置と情報の送受信を行う通信処理部である。また１０２は購買装置内の各処理部を制御する制御部である。また１０３は社内端末２より購買物の購入申請を受付ける購入申請受付処理部である。また１０４は購買担当者から選択された調達方法と、購入申請された購入物と、により決定する調達先の中から見積要求を行う調達先の選定の情報を受付け、その選定された調達先端末３へ見積要求の情報を送信する見積要求処理部である。また１０５は調達先への購買物の発注の処理を行う発注処理部である。また１０６は社内端末２から受付けた購入申請の情報を記憶する申請情報ＤＢ（データベース）である。また１０７は調達先端末３へ送信した見積要求の情報を記憶する見積要求情報ＤＢである。また１０８は納入先端末３から受付けた見積回答の情報を記憶する見積回答情報ＤＢである。また１０９は選定された調達先への発注の購入条件の情報を記憶する購入条件情報ＤＢである。また１１０は決定された調達先の情報を購買の申請ごとに記憶する調達先決定ＤＢである。
【００２８】
次に図３〜図６を用いて各データベースが記憶する情報について説明する。
図３は申請情報ＤＢの記憶する申請情報テーブルを示す図である。
この図が示すように、申請情報テーブルには、社内端末２を利用して社員などが購入申請を行った際の情報として、申請を識別する各番号からなる基本情報、申請を行った担当者や部署の情報などからなる申請情報、購入申請された購入物の情報を示す申請品目情報、などが記録されている。
【００２９】
図４は見積要求情報ＤＢの記憶する見積要求情報テーブルを示す図である。
この図が示すように、見積依頼情報テーブルには、申請情報テーブルから引き継がれた情報（基本情報、申請情報、申請品目情報）と、見積要求の情報の送信先となる調達先の情報と、見積要求の回答期限や見積要求日などの見積の内容の詳細を示す見積要求情報、などが記録されている。
【００３０】
図５は見積回答情報ＤＢの記憶する見積回答情報テーブルを示す図である。
この図が示すように、見積回答情報テーブルには、申請情報テーブルから引き継がれた情報（基本情報、申請情報、申請品目情報）と、見積依頼情報テーブルから引き継がれた情報（調達先情報、見積要求情報）と、調達先端末３から受信した見積回答データに含まれる情報、などが記録されている。
【００３１】
図６は購入条件情報ＤＢの記憶する購入条件情報テーブルを示す図である。
この図が示すように、購入条件情報テーブルは、申請情報テーブルから引き継がれた情報（基本情報、申請情報、申請品目情報）と、見積依頼情報テーブルから引き継がれた情報（調達先情報、見積要求情報）と、見積回答情報テーブルから引き継がれた情報（見積回答の情報）と、発注の際に調達先に通知される発注内容を示す注文情報などが記録されている。
【００３２】
そして、本実施形態においては、社員が社内端末２を用いて購入物の購入申請の情報を購買装置１に登録し、購買装置１を用いて購買担当者が購買物の調達先を選定し、購買装置１が調達先に見積要求のデータを送信する。そして、購買装置１では、後述の処理により、購買物がセットが販売されている場合の、セット品に含まれる各商品を、セットまたはバラにより購入する際に、その商品の調達先業者の選定を労力をかけずに容易に行うことができ、また購買担当者がコスト面でより有利な調達先を容易に選定できるような処理を行う。
【００３３】
次に、購買システムにおける見積要求の処理フローについて説明する。
図７は購買システムにおける見積要求の処理フローである。
まず、社内の購入申請をするユーザが、社内端末２を用いて購買装置１へ通信接続する。購買装置１はウェブサーバの処理機能部を有しており、社内端末２からの通信接続により画面情報をその社内端末２に送信する。また社内端末２では画面情報をウェブブラウザなどを用いて表示する。ここで画面情報は、例えば購入申請を促す為の画面や、調達先の選定を行う為の画面であるが、購買装置１の各処理部によって、当該画面情報が生成されて、ウェブサーバの処理機能部が、その画面情報を社内端末２へ送信する。そして、購入申請する社員の社内端末２が購買装置１へ通信接続する際には、購入申請特有のＵＲＬを用いて購買装置１へアクセスする。これにより購買装置１の購入申請受付処理部１０３が処理を開始する。なお、ウェブサーバとウェブブラウザを利用せずに、専用のサーバと画面表示の技術を利用するようにしてもよい。
【００３４】
社内端末２が購買装置１へ通信接続されると、購買装置１の購入申請受付処理部１０３は、購入申請画面を購買装置１へ送信する処理を行う。社内端末２では購入申請画面をウェブブラウザを用いてモニタに表示する。そして、ユーザが、申請情報と申請品目情報を購入申請画面から入力し購入申請の指示を行う（ステップＳ１０１）。この指示を受付けた社内端末２は、購入申請画面において入力された情報を購買装置１へ送信する（ステップＳ１０２）。購買装置１は、この購入申請に対して、申請番号、明細番号、帳票番号、処理日時などからなる基本情報を生成し、申請情報テーブルに、新しい購入申請の情報として登録する（ステップＳ１０３）。この処理により申請情報テーブルには、順次購入申請の情報が登録されていく。
【００３５】
購入申請されると、例えば企業の購買部の購買担当者などが購買処理を行う。
まず、購買担当者は購買装置１に社内端末３を用いて通信接続する。この際、購買担当者は見積要求処理に特定のＵＲＬを用いて接続する。すると購買装置１の見積要求処理部１０４は、「見積組合せ入力待ち一覧」の画面を社内端末３に送信する。この「見積組合せ入力待ち一覧」の画面には、購入申請された後、見積組合せが行われていない購入申請の一覧が表示される。ここで見積組合せとは、例えば、購買物が複数の商品に渡る場合にはそれら商品をセット品として一つの調達先から購入するか、バラにより別々の調達先から購入するかの情報と、その調達先の情報との組合せである。
【００３６】
そして、購買担当者は社内端末２において、「見積組合せ入力待ち一覧」からある購入申請分について指定する（ステップＳ１０４）。すると、社内端末２は指定された購入申請について、その購入申請分についての、「見積組合せ登録画面」の要求を購買装置１へ送信する（ステップＳ１０５）。そして、購買装置１の見積要求処理部１０４が、「見積組合せ登録画面」を購買担当の社内端末３へ送信する（ステップＳ１０６）。
【００３７】
「見積組合せ登録画面」においては、少なくとも以下の情報が表示される。
１．購入申請された購買物の調達先からの調達方法として、一括購入、バラ購入、一括・バラ購入の何れかの選択を促す項目。
２．一括購入の場合の見積依頼を行う調達先の選択を促す項目。
３．バラ購入の場合の見積依頼を行う調達先の選択を促す項目。
４．一括・バラ購入の場合の見積依頼を行う調達先の選択を促す項目。
ここで、一括購入とは、例えば、購入申請された購入物が複数あり、セットで一括して一つの調達先から調達する場合の調達方法を言う。またバラ購入とは、例えば、購入申請された購入物が複数あり、それぞれの購入物をバラで別々の調達先から調達する場合の調達方法を言う。また一括・バラ購入とは、一括購入またはバラ購入のいずれかを選択する場合の調達方法である。なお、「見積組合せ登録画面」においては、調達方法として、一括購入、バラ購入、一括・バラ購入のいずれかを選択をした場合、調達先の選択を促す項目においては、購入申請が出された購入物に対して、選択された調達方法が可能な調達先の一覧を表示する。
【００３８】
つまり、購買担当者が調達方法として一括購入を選択し、その後、調達先の選択を促す項目において調達先一覧の表示を指示すると、購入申請された購入物がモニタとパソコン本体の組合せからなる購入物であった場合、その組合せが一括購入できる調達先の情報がデータベースから読み出されて、「見積組合せ登録画面」に表示される。
【００３９】
また、購買担当者が調達方法としてバラ購入を選択し、その後、調達先の選択を促す項目において調達先一覧の表示を指示すると、購入申請された購入物がモニタとパソコン本体の組合せからなる購入物であった場合、その組合せがバラで購入できる調達先（モニタ単体のみで納入できる調達先とパソコン本体のみ納入できる調達先）全ての情報がデータベースから読み出されて、「見積組合せ登録画面」に表示される。
【００４０】
また、購買担当者が調達方法として一括・バラ購入を選択し、その後、調達先の選択を促す項目において調達先一覧の表示を指示すると、購入申請された購入物がモニタとパソコン本体の組合せからなる購入物であった場合、その組合せが一括購入できる調達先の情報と、その組合せがバラで購入できる調達先（モニタ単体で納入できる調達先とパソコン本体のみで納入できる調達先）全ての情報がデータベースから読み出されて、「見積組合せ登録画面」に表示される。なお、一括購入できる調達先の情報や、バラで購入できる調達先の情報は、購入物の識別情報（購入申請された購入物の商品ＩＤや商品名）に対応付けられて、データベースに記録されている。従って、見積要求処理部１０４は、購入申請の申請品目情報に基づいて、データベースから一括購入できる調達先の情報や、バラで購入できる調達先の情報を読み取って、購買担当者の社内端末２へ送信する。
【００４１】
そして、購買担当者が「見積組合せ登録画面」において、一括購入、バラ購入、一括・バラ購入のいずれかの調達方法の選択と、調達先の選択を行うと（ステップＳ１０７）、購買担当者の社内端末２は、購入申請を識別する申請番号などの情報と共に、調達方法と、調達先の情報と、購入数量の情報などを少なくとも含む、見積組合せ登録情報を購買装置１へ送信する（ステップＳ１０８）。そして購買装置１は、申請番号などから判定できる購入申請の各情報であって、申請情報テーブルに記録された購入申請の各情報と、調達方法の情報と、調達先の情報と、購入数量の情報などを対応付けて図４で示した見積要求情報テーブルを作成する（ステップＳ１０９）。この時、図４で示した調達先情報や見積要求情報の項目の各情報が生成されて登録される。そして、見積要求処理部１０４は、見積要求情報テーブルの情報を元にして、見積要求データを生成し、各調達先が保持する調達先端末３へ送信する（ステップＳ１１０）。ここで、一括購入が指定されている場合には、購買担当者によって選択された一括購入ができる全ての調達先に見積要求データが送信され、バラ購入が指定されている場合には、購買担当者によって選択されたバラ購入ができる全ての調達先に見積要求データが送信され、一括・バラ購入が指定されている場合には、購買担当者によって選択された一括購入ができる全ての調達先と、バラ購入ができる全ての調達先に見積要求データが送信される。
【００４２】
なお見積要求データは、見積要求画面を調達先端末３に表示するためのデータであり、当該見積要求画面では、調達先の担当者は、見積金額や、発注から納入までにかかる納期や、発注を受けるか否かを指定する情報などを登録することができる。この見積要求データはメールに添付して送付してもよいし、または調達先端末３から通信接続が行われることによって、見積要求データに基づく見積要求画面をウェブサーバが送信するようにしてもよい。また見積要求データに基づいて生成された見積登録フォーム用紙をＦＡＸするようにしても良い。
【００４３】
次に、購買システムにおける調達先決定の処理フローについて説明する。
図８は購買システムにおける調達先決定の処理フローである。
図８より、まず、調達先端末３において、見積要求画面に各情報が入力されて登録の指示が行われることにより、購買装置１の見積要求処理部１０４は調達先端末３から見積回答データを受信する（ステップＳ２０１）。この見積回答データには、見積要求画面に入力された情報、例えば、見積金額や、各商品の購入数量や、発注から納入までにかかる納期や、発注を受けるか否かを指定する情報や、見積要求の元となる購入申請の申請番号の情報などが含まれる。なお、ＦＡＸにて見積要求を送信した場合には、調達先の担当者からその回答がＦＡＸにて送信されてくるので、この場合には購買担当者が見積回答データの情報を入力する事により、見積要求処理部１０４がその情報を受付ける。
【００４４】
次に見積要求処理部１０４は、見積回答データに含まれる申請番号などから、申請情報テーブルの購入申請の各情報と、見積要求情報テーブルの各情報とを読み取り、それら読み取った情報と見積回答データに含まれる情報とを対応付けて図５に示すような見積回答情報テーブルを作成する（ステップＳ２０２）。
【００４５】
次に、見積回答情報テーブルが生成されると、これにより、この購入申請に関する情報は、購入条件を決定するための「購入条件未決定一覧画面」へ追加されるものとして設定される。ここで購買担当者が社内端末２を用いて「購入条件未決定一覧画面」の表示を指示する（ステップＳ２０３）と、社内端末３は「購入条件未決定一覧画面」の要求の情報を購買装置１へ送信する（ステップＳ２０４）。すると購買装置１の発注処理部１０５は、「購入条件未決定一覧画面」のデータを社内端末３へ送信する（ステップＳ２０５）。「購入条件未決定一覧画面」には、見積回答データが調達先から返信され、購入条件が未決定の購入申請の一覧が表示されている。購買担当者はこの「購入条件未決定一覧画面」を用いて、後述の処理により、一括購入またはバラ購入または一括・バラ購入のどの調達方法で購入するかと、その調達先とからなる購入条件の指定を行う。
【００４６】
購買担当者が「購入条件未決定一覧画面」から、ある購入申請分の情報を指定する（ステップＳ２０６）と、購買担当者の社内端末２は「購入条件決定画面」の要求の情報を送信し（ステップＳ２０７）、その結果、指定された購入申請に対する「購入条件決定画面」のデータが購買装置１の発注処理部１０５から送信される（ステップＳ２０８）。ここで、「購入条件未決定一覧画面」で指定された購入申請に対して、購買担当者から一括・バラ購入の調達方法を選択されているものとする。この「購入条件決定画面」のデータを送信する発注処理部１０５は、「購入条件決定画面」のデータの生成にあたり、以下の処理を行う。
【００４７】
まず、「購入条件未決定一覧画面」で指定された購入申請の申請番号より、その購入申請に基づいて見積要求した調達先からの見積回答情報を検索する。そして、見積回答情報テーブルにおいて検索できた各調達先の見積回答情報に基づいて、その見積回答情報が一括購入、バラ購入、一括・バラ購入のどの調達方法を行った際の見積りの情報であるかを判定する。この判定は、例えば申請番号の形式から行っても良いし、見積り回答情報テーブルにおいて、各見積回答情報がどの調達方法を行った際の見積りの情報であるかを記憶させることにより行うようにしても良い。そして、検索した見積回答情報が一括購入を行う場合の見積りの情報と、バラ購入を行う場合の見積りの情報とを区別して、一括購入に対する見積回答情報の見積金額を比較する。そして、一括購入の見積金額が低い順に規定の数の調達先を選択する。また発注処理部１０５は、バラ購入に対する見積回答情報の見積金額をバラの商品（つまりパソコン本体とモニタ）ごとに比較する。そして購入申請されたセット品を構成する各商品それぞれについて、バラ購入際の見積金額が最も低い調達先を選択する。発注処理部１０５は、選択した一括購入の見積金額が低い規定数の調達先と、バラ購入の各商品の見積金額が最も低い各調達先を、「購入条件決定画面」に最初に表示させる調達先の情報と決定する。そして、発注処理部１０５は購買担当者の社内端末３へ「購入条件決定画面」のデータを送信する。そして購買担当者の社内端末３は「購入条件決定画面」をモニタに表示する（ステップＳ２０９）。
【００４８】
図９は購入条件決定画面の一例を示す図である。
図９で示すように、社内端末３のモニタに表示された「購入条件決定画面」においては、一括購入の見積金額が低い規定数の調達先と、バラ購入の各商品の見積金額が最も低い各調達先が表示される。またこの表示において、見積金額の低い順に調達先とその見積金額が表示される。これにより、購買担当者は、一括購入を行う場合において、見積金額が低い順に調達先を確認することができ、またバラ購入を行う場合において、購入申請された購入物の各商品ごとの見積金額が低い調達先を確認することができる。またバラ購入の場合に各調達先から購入する場合の合計金額が表示される。これにより、購買担当者は一括購入とバラ購入のどちらの調達方法により購入申請された購買物の発注を行えば、最も低い金額により購入できるかを一目で把握することができ、調達方法の決定の労力を削減することができる。またこの「購入条件決定画面」には調達先ごとに見積金額の他、発注を受けてからの納期の情報についても表示される。またこの「購入条件決定画面」においては、調達先を指定することにより、その調達先からの見積回答情報を表示する画面が表示できる。さらに、この「購入条件決定画面」においては、バラ購入の各商品の調達先について変更することができる。これらの「購入条件決定画面」における表示の変更などは、購買装置１の発注処理部１０５が画面の変更要求を受付けて、各データベースから情報を読み込んで社内端末２へ送信することにより行われる。
【００４９】
また「購入条件決定画面」では、一括見積による各調達先ごとの発注の採用の決定、または、バラ見積による発注の採用の決定を促すボタンが表示されている。そして、購買担当者は「購入条件決定画面」において、調達方法の選択を行う（ステップＳ２１０）。この処理は、例えば、購買担当者が一括見積により特定の調達先の発注の採用を決定するボタンを押下する。すると、その調達先への発注指示の情報が購買装置１へ送信される（ステップＳ２１１）。また調達方法の選択において、購買担当者はバラ購入による発注の採用を決定するボタンを押下する。すると、そのバラ購入の調達先として選択された各調達先への発注指示の情報が購買装置１へ送信される。発注指示の情報を受付けた購買装置１の発注処理部１０５は、発注データを生成し、発注指示の情報に格納されている調達先へ発注データを送信する（ステップＳ２１２）。これにより発注の処理が完了する。
【００５０】
また「購入条件決定画面」では、調達先を指定して、再見積要求を依頼を促すボタンが表示されている。このボタンを購買担当者が押下することにより、購買担当者の社内端末２は、再見積要求のデータを生成し、指定された調達先の保持する調達先端末３へ送信される。この再見積要求データは、見積要求データの内容と、納期の短縮や見積金額の再考を依頼する文章の情報などが格納される。これにより、調達先の担当者は納期や見積金額を再考した上で、見積要求データと同様に見積回答データを送信する。これにより、購買担当者は容易に再見積の要求を調達先へ問い合わせて、発注先の再考を行うことができる。
【００５１】
なお上述の各装置は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００５２】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００５３】
【図１】購買システムの構成を示すブロック図である。
【図２】購買装置の機能ブロックを示す図である。
【図３】申請情報ＤＢの記憶する申請情報テーブルを示す図である。
【図４】見積要求情報ＤＢの記憶する見積要求情報テーブルを示す図である。
【図５】見積回答情報ＤＢの記憶する見積回答情報テーブルを示す図である。
【図６】購入条件情報ＤＢの記憶する購入条件情報テーブルを示す図である。
【図７】購買システムにおける見積要求の処理フローである。
【図８】購買システムにおける調達先決定の処理フローである。
【図９】購入条件決定画面の一例を示す図である。
【符号の説明】
【００５４】
１・・・購買装置、２・・・社内端末、３・・・調達先端末、１０１・・・通信処理部、１０２・・・制御部、１０３・・・購入申請受付け処理部、１０４・・・見積要求処理部、１０５・・・発注処理部、１０６・・・申請情報ＤＢ、１０７・・・見積依頼情報ＤＢ、１０８・・・見積回答情報ＤＢ、１０９・・・購入条件情報ＤＢ、１１０・・・調達先決定ＤＢ
【図１】
2006331409.tif 000003
【図２】
2006331409.tif 000004
【図３】
2006331409.tif 000005
【図４】
2006331409.tif 000006
【図５】
2006331409.tif 000007
【図６】
2006331409.tif 000008
【図７】
2006331409.tif 000009
【図８】
2006331409.tif 000010
【図９】
2006331409.tif 000011